(57)【特許請求の範囲】
【請求項１】
開口を備え前記開口から基板を収納できる容器本体と、前記容器本体の前記開口を閉鎖する蓋体と、を備えてなる基板収納容器であって、
前記容器本体には前記基板を目視できる透明窓部を備え、前記透明窓部には前記透明窓部を被った状態で遮光カバーを着脱自在に取り付けることができ、
前記容器本体の前記透明窓部の外周に前記遮光カバーを取り付けるための固定部が形成され、
前記固定部は、前記容器本体に形成された固定リブからなる係止片固定部と、頭部を有する軸によって前記係止片固定部に取付けられる係止片部とからなり、前記係止片部は、前記軸の頭部によって係止されている
ことを特徴とする基板収納容器。
【請求項２】
前記透明窓部は、前記容器本体の前記開口と対向する部分に形成されていることを特徴とする請求項１に記載の基板収納容器。
【請求項３】
前記遮光カバーは、その周辺に遮光性パッキンを備えていることを特徴とする請求項１に記載の基板収納容器。
【請求項４】
前記遮光性パッキンは、その一部に排水路が形成されていることを特徴とする請求項３に記載の基板収納容器。
【請求項５】
前記排水路は、容器本体の底部側に配置される前記遮光性パッキンに形成されていることを特徴とする請求項４に記載の基板収納容器。
【発明の詳細な説明】
【技術分野】
【０００１】
本発明は、たとえば半導体ウェーハ、ガラスウェーハ、マスクガラス等のような精密加工基板を収納し、輸送、搬送、保管に使用される基板収納容器に関する。
【背景技術】
【０００２】
この種の基板収納容器として、いわゆるフロントオープンボックスタイプのものが知られ、開口を備え該開口を通して複数の基板を水平状態で並設させて収納する容器本体と、この容器本体の開口を閉鎖する蓋体を備えて構成されている。
【０００３】
そして、半導体ウェーハを収納、輸送、搬送、保管する基板収納容器では、該半導体ウェーハとして、その径がたとえば３００ｍｍのものが使用されるものが知られている。このような半導体ウェーハを収納した基板収納容器は、そのままの状態で保管されたり、製造工程上において搬送され、あるいは外部に輸送されたりして使用されるようになっている。また、製造工程上における搬送を容易にするため、基板収納容器の容器本体の天面にはロボテックフランジが取り付けられ、基板収納容器はロボテックフランジを介して工場内の搬送レールに支持されて搬送されるようになっている。基板収納容器内の半導体ウェーハは、この搬送過程において、必要に応じた処理あるいは加工がなされるようになっている。
【０００４】
なお、このような基板収納容器として、たとえば下記特許文献１、２に示すように、該容器本体のたとえば前記開口と反対側の背面に透明窓部が形成され、この透明窓部を通して、半導体ウェーハの収納枚数、あるいは半導体ウェーハの破損の有無等の確認を行うことができるものが知られている。また、この透明窓部は、基板収納容器に対し、半導体ウェーハを自動機で出し入れする際の該半導体ウェーハのセットダウン位置、自動機の挿入限度等を、ティーチングによって微調整するような場合においても用いられるようになっている。
【先行技術文献】
【特許文献】
【０００５】
【特許文献１】特開2000-306988号公報
【特許文献２】特開2006-100712号公報
【発明の概要】
【発明が解決しようとする課題】
【０００６】
しかし、上述のように、容器本体に透明窓部を形成した基板収納容器において、レジストを塗布して露光によって表面に微細な回路パターンが形成された半導体ウェーハを一時的に収納するような場合、該基板収納容器内へ入射される光によって残存するレジストに予期せぬ反応が進行してしまい、回路パターンが変質したり劣化したりしてしまうことがあり、これを防ぐため、該回路パターンを該透明窓部からの光から保護するようにしている。
【０００７】
一般的には、透明窓部を特定の材料（ベンゾリトリアゾール系紫外線吸着材、ベンゾリトリアゾール系紫外線吸着材等の適量を添加したもの）によって形成し、これにより、特定の波長の光（たとえば波長４００ｎｍ以下の光：物質に吸着しやすい紫外線）の照射を遮るようにして、半導体ウェーハの表面のダメージを防ぐようにしていた。
【０００８】
しかし、近年における回路パターンのさらなる微細化の傾向にあって、上記の材料の透明窓部で遮ったはずの波長の光の漏光による半導体ウェーハへの影響、あるいは上記の材料の透光部によって遮ることのできない波長（４００ｎｍ以上）の光による半導体ウェーハへの影響についての不都合を無視することができなくなってきた。
【０００９】
本発明は、このような事情に基づいてなされたものであり、その目的は、透明窓部を通して入射される光に対して、収納された基板を信頼性よく保護することのできる基板収納容器を提供することにある。
【課題を解決するための手段】
【００１０】
このような目的を達成するために、本発明は、容器本体に形成された透明窓部を被った状態に遮光カバーを着脱自在に取り付けることができるように構成したものである。
【００１１】
このように構成することによって、半導体ウェーハの状態確認などの必要な作業時以外は、透明窓部に該遮光カバーを着脱自在に被せることにより該半導体ウェーハへの入光を遮ることができ、光により半導体ウェーハの回路パターンへのダメージを防止することができる。そして、遮光カバーによる遮光が不要な行程においては、該遮光カバーを外し、透明窓部を通して容器本体に収納された半導体ウェーハを目視で確認したり、ティーチングの際などに、半導体ウェーハと自動機の取り出しハンドとの位置を確認したりすることができるようになる。
【００１２】
本発明は、以下の構成によって把握される。
（１）本発明の基板収納容器は、開口を備え前記開口から基板を収納できる容器本体と、前記容器本体の前記開口を閉鎖する蓋体と、を備えてなる基板収納容器であって、前記容器本体には前記基板を目視できる透明窓部を備え、前記透明窓部には前記透明窓部を被った状態で遮光カバーを着脱自在に取り付けることができ、前記容器本体の前記透明窓部の外周に前記遮光カバーを取り付けるための固定部が形成され、前記固定部は、前記容器本体に形成された固定リブからなる係止片固定部と、頭部を有する軸によって前記係止片固定部に取付けられる係止片部とからなり、前記係止片部は、前記軸の頭部によって係止されていることを特徴とする。
（２）本発明の基板収納容器は、（１）の構成において、前記透明窓部は、前記容器本体の前記開口と対向する部分に形成されていることを特徴とする。
（３）本発明の基板収納容器は、（１）の構成において、前記遮光カバーは、その周辺に遮光性パッキンを備えていることを特徴とする。
（４）本発明の基板収納容器は、（３）の構成において、前記遮光性パッキンは、その一部に排水路が形成されていることを特徴とする。
（５）本発明の基板収納容器は、（４）の構成において、前記排水路は、容器本体の底部側に配置される前記遮光性パッキンに形成されていることを特徴とする。
【発明の効果】
【００１３】
上述のように構成した基板収納容器によれば、透明窓部を通して入射される光に対して、収納された基板を信頼性よく保護することができるようになる。
【図面の簡単な説明】
【００１４】
【図１】本発明の基板収納容器の背面を示した斜視図で、遮光カバーを取り外した状態を示す図である。
【図２】本発明の基板収納容器の容器本体の背面を示した斜視図で、遮光カバーを取り付けた状態を示す図である。
【図３】図２のIII−III線における断面図である。
【図４】図４の点線丸の部分の拡大図である。
【図５】図２のV−V線における断面図である。
【図６】図５の部分を平面的に観た図である。
【図７】本発明の基板収納容器の遮光カバーの部分の他の実施形態を示す断面図である。
【図８】本発明の基板収納容器の遮光パッキンの部分の他の実施形態を示す断面図である。
【図９】本発明の基板収納容器の遮光パッキンの部分の他の実施形態を示す断面図である。
【発明を実施するための形態】
【００１５】
以下、添付図面を参照して、本発明を実施するための形態（以下、実施形態）について詳細に説明する。なお、実施形態の説明の全体を通して同じ要素には同じ番号を付している。
（実施形態１）
図１は、本発明の基板収納容器を示した斜視図で、該基板収納容器を背面側から観た図である。
【００１６】
図１において、基板収納容器１０の容器本体１１の正面には、図示しない開口が形成され、この開口を閉塞するようにして蓋部１２が取り付けられている。蓋部１２の周辺にはシール材（図示せず）が形成され、該蓋部１２を容器本体１１に取り付けた場合は該シール材によって密封できるようになっている。
【００１７】
基板収納容器１０に半導体ウェーハ（径はたとえば３００ｍｍ）１３を収納する際は、該蓋部１２を容器本体１１から外し、たとえば自動機によって、容器本体１１の前記開口を通して半導体ウェーハ１３を面対向させた状態で垂直方向（図中上下方向）に一定間隔で配置させるようになっている。
【００１８】
なお、基板収納容器１０の内壁面には該開口から観て両側の部分に一対の支持部材（図示せず）が配置され、それぞれの半導体ウェーハ１３は、これら支持部材の高さ方向に並設された複数の溝に係止されることによって、一定間隔を保持して水平に配置されるようになっている。
【００１９】
容器本体１１の上面にはロボテックフランジ１５が取り付けられ、このロボテックフランジ１５は、工場内に設置された天井搬送装置に把持されるようになっている。これにより、基板収納容器１０は、天井搬送装置に沿って搬送され、その搬送された工程において、回路パターン形成のために必要に応じた処理あるいは加工がなされるようになっている。
【００２０】
また、容器本体１１の側面にはマニュアルハンドル１６が取り付けられ、このマニュアルハンドル１６は、天井搬送装置に吊り下げられた基板収納容器１０を手動で搬送する場合等において便宜的に用いられるようになっている。
【００２１】
さらに、容器本体１１の底面にはボトムプレート１７が取り付けられ、このボトムプレート１７は、天井搬送装置によって搬送されてきた基板収納容器１０内の半導体ウェーハ１３に対して所定の処理あるいは加工を行う際に、当該処理装置あるいは加工装置の定位置にセットできるようになっている。
【００２２】
そして、容器本体１１の背面には、容器本体１１の上下方向に延在するたとえば矩形状の透明窓部２０が形成されている。この透明窓部２０は、透明材料からなり容器本体１１と一体となるようにインサート成形あるいは二色成形等で形成されている。この透明窓部２０を通して、基板収納容器１０に収納された各半導体ウェーハ１３のリア側を目視できるようになっている。上述のように各半導体ウェーハ１３は、基板収納容器１０内において、面対向された状態で垂直方向（図中上下方向）に並設され、これら半導体ウェーハ１３は、透明窓部２０を通して、最下段から最上段までの全ての半導体ウェーハ１３を目視できるようになっている。透明窓部は、ポリカーボネート樹脂やシクロオレフィンポリマー、アクリル樹脂等の透明材料から形成することができる。また、これらに紫外線吸収剤の適量を添加した材料を用いて形成することが好ましい。
【００２３】
また、基板収納容器１０には、前記透明窓部２０を被って配置される遮光カバー２２が備えられている。この遮光カバー２２は、不透光材料からなり、前記透明窓部２０を充分に被う矩形状をなしている。図２は、図１と対応づけて描いた図で、基板収納容器１０の透明窓部２０に遮光カバー２２を取り付けた場合の斜視図である。図２に示すように、基板収納容器１０の透明窓部２０は遮光カバー２２によって完全に被われた状態となっている。
【００２４】
ここで、図３は、図２のIII−III線における断面図である。図３に示すように、遮光カバー２２は、基板収納容器１０の透明窓部２０を被った状態で取り付けられていることが示されている。そして、図３の点線丸Ａの部分の拡大図である図４に示すように、該遮光カバー２２の周辺の該基板収納容器１０側の面には遮光パッキン２３が取り付けられている。遮光パッキン２３は、たとえば遮光カバー２２に形成した溝２２Ａに嵌合させることによって、該遮光カバー２２に取り付けられている。遮光パッキン２３は、透明窓部２０の周辺の容器本体１１の部分に当接するようにして配置されている。
【００２５】
遮光パッキン２３は、基板収納容器１０に取り付けた際に、外部の光が遮光パッキン２３の周囲から入射され、透明窓部２０に侵入するのを防止する機能を有するようになっている。
【００２６】
遮光カバー２２は、図１、図２に示すように、基板収納容器１０の透明窓部２０の周囲に設けられたたとえば４個の係止部２５によって、該基板収納容器１０に対し着脱自在に取り付けられるようになっている。
【００２７】
係止部２５は、基板収納容器１０の透明窓部２０の両脇の辺部にそれぞれ２個ずつ設けられた係止片固定部２５Ａと、これら係止片固定部２５Ａに取付けられる係止片部２５Ｂとから構成されている。図５は、図２のVI−VI線における断面を示し、容器本体１１に形成された固定リブからなる係止片固定部２５Ａに螺合されるように構成されている。なお、係止片部２５Ｂは、軸２５Ｃの頭部によって係止されることによって該軸２５Ｃから抜けることが防止されるようになっている。
【００２８】
図５、図５を平面的に観た図６に示すように、係止片部２５Ｂが図示の位置にある場合、該係止片部２５Ｂは、遮光カバー２２の周辺に当接されるようになっている。この場合、遮光カバー２２の周辺の基板収納容器１０側の面には遮光パッキン２３が取り付けられているため、該遮光パッキン２３の弾力によって、遮光パッキン２３は基板収納容器１０側に押圧された状態を維持するようになる。
【００２９】
なお、遮光カバー２２を基板収納容器１０から外す場合には、図６に示すように、係止片部２５ｂをたとえば図中矢印α方向に回動させ、係止片部２５Ｂと遮光カバー２２との当接を解除するようにすればよい。この他、遮光カバー２２の係止片部２５ｂは、基板収納容器１０にボルトを介して固定したり、取り外したりする構造であってもよい。
【００３０】
このように構成された基板収納容器１０によれば、半導体ウェーハ１３の状態確認などの必要な作業時以外は、透明窓部２０に該遮光カバー２２を着脱自在に被せることにより該半導体ウェーハ１３への入光を遮ることができ、光により半導体ウェーハ１３の回路パターンへのダメージを防止することができる。そして、遮光カバー２２による遮光が不要な行程においては、該遮光カバー２２を外し、透明窓部２０を通して容器本体１１に収納された半導体ウェーハ１３を目視で確認したり、ティーチングの際などに、半導体ウェーハ１３と自動機の取り出しハンドとの位置を確認したりすることができるようになる。このため、透光窓部２０を通して入射される光に対して、収納された半導体ウェーハ１３を信頼性よく保護することができるようになる。
（実施形態２）
実施形態１では、基板収納容器１０に対する遮光カバー２２の取り付けは、図２に示したように、４個の係止部２５によって行ったものである。しかし、遮光カバー２２の一方の辺側において、前記係止部２５に替えて、たとえば、図７に示すように、遮光カバー２２の面と平行に突出する突出片２２Ｐを形成し、この突出片２２Ｐが容器本体１１に形成した突起部１１Ｑに設けられる孔１１Ｈに差し込ませるように構成するようにしてもよい。このようにした場合、遮光カバー２２の一辺側において、突出片部２５Ｂを突起部１１Ｑの孔１１Ｈに差し込ませるだけで固定できるという効果を奏する。
（実施形態３）
実施形態１では、遮光パッキン２３は、断面がほぼ矩形に近い形状のものを用いたものである。しかし、図８に示すように、遮光カバー２２に取り付けられる遮光パッキン２３’にいわゆるリップ部２３”が備えられ、遮光カバー２２を基板収納容器１０に取り付けた場合に、該リップ部２３”が透明窓部２０の周辺の基板収納容器１０に当接するように構成してもよいことはもちろんである。このような遮光パッキン２３’を用いた場合、容器本体１１あるいは遮光カバー２２の変形を該遮光パッキン２３’によって吸収し易くなるという効果を奏する。
（実施形態４）
上述した実施形態では、遮光カバー２２に取り付けられる遮光パッキン２３、２３’は、いずれも、周方向に沿った全ての領域に容器本体１１との密接が図れるように構成するようにしたものである。
【００３１】
しかし、図８に示す実施形態で用いられた遮光パッキン２３’を例に挙げる場合、該遮光パッキン２３’の周方向の一部の領域に排水路となる切欠き２４を設けるようにしてもよいことはもちろんである。遮光カバー２２の洗浄後において水残りが無いようにするためである。
【００３２】
この場合、遮光カバー２２を基板収納容器１０に取り付けた場合に、該基板収納容器１０の底部側に配置される部分に排水路となる切欠き２４を設けることによって、充分な水抜きを行う効果を奏することができる。
（実施形態５）
上述した実施形態では、基板収納容器１０に収納する基板は半導体ウェーハ１３としたものである。しかし、これに限定されることはなく、たとえば、表面にフォトリソグラフィ技術によって配線パターンを形成するようなガラス基板等であってもよい。このようなガラス基板であっても、基板収納容器１０に形成された透明窓部２０を通して入射される光で回路パターンにダメージが生じ易くなるからである。
【００３３】
以上、実施形態を用いて本発明を説明したが、本発明の技術的範囲は上記実施形態に記載の範囲には限定されないことは言うまでもない。透明窓部を、ポリカーボネート樹脂やシクロオレフィンポリマー、アクリル樹脂等の透明材料から形成したときには、透明カバー２２は、透明窓部よりも特定波長の光線の透過を制限した透明材料から形成することができる。例えば、ポリカーボネート樹脂などの透明材料に適量の紫外線吸収剤を添加したり、ヘキサアリールビスイミダゾール化合物やその誘導体、ジアリールエテン化合物などのフォトクロミック材料など、特定波長の透過を制限する材料から形成したり、上記透明材料から形成し、その表面に光学フィルター薄膜を貼りつけて、特定波長の透過を防止したりしてもよい。また、これらを組み合わせて用いてもよい。
また、遮光カバーの取り付けは、上記のほかにも種々の方法があり、遮光カバーと容器本体の相対する面に、磁性体又は磁石をそれぞれ配置して、磁力を利用して遮光カバーをワンタッチで取り付け取り外し可能としたり、遮光カバーまたは容器本体の当接面の周囲に溝を形成し、両者が当接後この溝を真空排気して、真空吸着により遮光カバーを容器本体に取付けたりすることもできる。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３４】
１０……基板収納容器、１１……容器本体、１１Ｑ……突起部、１１Ｈ……孔、１２……蓋部、１３……半導体ウェーハ、１５……ロボテックフランジ、１６……マニュアルハンドル、１７……ボトムプレート、
２０……透明窓部、
２２……遮光カバー、２２Ｐ……突出部、
２２Ａ……溝、２３、２３’……遮光パッキン、２３”……リップ部、２４……切欠き、２５……係止部、２５Ａ……係止片固定部、２５Ｂ……係止片部、２５Ｃ……軸、
【図１】
0005943653.tif 000002
【図２】
0005943653.tif 000003
【図３】
0005943653.tif 000004
【図４】
0005943653.tif 000005
【図５】
0005943653.tif 000006
【図６】
0005943653.tif 000007
【図７】
0005943653.tif 000008
【図８】
0005943653.tif 000009
【図９】
0005943653.tif 000010